(57)【要約】【課題】  正六角形製材同士を簡単に結合できる建築資材を提供すること。【解決手段】  縦方向で所望寸法に切断した断面正六角形単位体の稜線に曲面底を有する周方向の溝を形成し、この溝に円板状の連結体を嵌合し、この連結体を隣接する他の断面正六角形単位体の溝に嵌合して所望面積の建築資材を得るように構成したもの。【選択図】図２
0003175606.tif 000002
【実用新案登録請求の範囲】
【請求項１】
縦方向で所望寸法に切断した断面正六角形単位体の稜線に曲面底を有する周方向の溝を形成し、この溝に円板状の連結体を嵌合し、この連結体を隣接する他の断面正六角形単位体の溝に嵌合して所望面積の建築資材を得るように構成した建設資材。
【考案の詳細な説明】
【技術分野】
【０００１】本考案は、建築・建設分野における、断面を正六角形に加工製材した材木を用いた建築資材に関し、特に、この建築資材で構成する壁面材や空間の創出に好適なものに関するものである。
【背景技術】
【０００２】  建築・建設分野において、材木は通常、原木を四角形断面に製材してつくられるが、この方法にはロスが多い。
ロスを低減し、原木を有効活用する方法のひとつに、丸太を積み上げて空間を構成するログハウスという手法が存在する。
別な方向性では、製材形状を通常の四角形断面ではなく、六角形断面とすることでロスを低減する動きも見られる。
【先行技術文献】
【特許文献】
【０００３】
【特許文献１】特開２００５−３４２９４９号公報
【特許文献２】特開２００７−１５１１４号公報
【特許文献３】特開２００１−４０７５９号公報
【考案の概要】
【考案が解決しようとする課題】
【０００４】  一般的に「中目材」と呼ばれる小径木において、原木を四角形にカットし製材する通常の製材方法では、寸足らず、もしくはロスが多くなり、商品として成立しない現実がある。
本考案では、正六角形断面の製材規格を新しく開発することで製材ロスを抑え、「中目材」を始めとする小径木の価値を高め、一般的に使いやすい寸法規格で大量流通させることを指向している。【０００５】  前記特許文献１に開示された発明は、「編成材」に関するものであり、六角形断面の複数木材を束ねる事でより大きな断面のパネル材を得る方法である。六角形断面としてロスを抑える思想は本考案と共通するが、正六角形製材の規格の提案ではなく、その加工品の提案である。
前記特許文献２に開示された発明は、「小径木を利用した木質パネルおよびその製造方法」に関するものである。六角形断面としてロスを抑える思想は本考案と共通するが、正六角形製材の規格の提案ではなく、その加工品として木質パネルを製造する提案である。
前記特許文献３に開示された発明は、「断面正六角柱を用いる建築材の構造」に関するもので、集積された壁・床・屋根材など建築材の開発である。六角形断面とすることでロスを抑える思想は本考案と共通するが、正六角形製材自体の規格の提案ではなく、その集積によって得られる建築材の構造の提案である。【０００６】  前記特許文献に記載された発明は、正六角形製材を組み合わせて壁材や床材などを構成することであるが、いずれも正六角形製材同士を樹脂などの接着剤で組み合わせ結合することが記載されている。
正六角形製材同士を接着剤で接着すると、特に長尺ものについては、製材の寸法、特に平坦度の狂いなどで、接着が不均一になり、接着不良を起こすことがある。
又、一度接着すると分解は難しく、正六角形製材同士の結合パターンの変更などは困難になるものである。【０００７】  本考案は前記課題に着目し、正六角形製材同士を簡単に結合できる建築資材を提供することを目的としてなされたものである。
【課題を解決するための手段】
【０００８】  前記目的を達成するために本考案は、縦方向で所望寸法に切断した断面正六角形単位体の稜線に曲面底を有する周方向の溝を形成し、この溝に円板状の連結体を嵌合し、この連結体を隣接する他の断面正六角形単位体の溝に嵌合して所望面積の建築資材を得るように構成したものである。【０００９】  尚、この断面正六角形単位体を、以下の説明では便宜的に「はにかむツミキ」と別称する場合がある。
若干補足すると、本考案では、ロスなく正六角形断面に製材された材木が、大量に流通できるよう、第一に、人が容易に持ち上げられる正六角形断面製材の寸法規格を開発すること。第二に、正六角形断面製材を一般に使い易く細切れにした「はにかむツミキ」を開発すること。第三に、「はにかむツミキ」を積み上げる構法とその仕口を開発すること。
第四に、正六角形製材と「はにかむツミキ」について、個人が必要な分を購入し身近なものとして親しみ使う事ができる流通ルートを開発することである。
【考案の効果】
【００１０】  本考案は、前記手段のように構成したので、正六角形製材同士を簡単に結合できる建築資材を提供することができたものである。【００１１】  更に、補足的な効果を述べると次のとおりである。すなわち、第一に、正六角形断面の製材規格を新しく開発することで製材の無駄を減らすことができる。これにより、樹木に固定された炭素を二酸化炭素として空気中に放出する量を低減でき、地球温暖化抑制の一助を担える。
第二に、中目材など利用価値の低い小径木に新しい価値を付与できる。これまで伐採現場にて廃棄処分されてきた小径木を有効活用でき、付加価値のついた価格で取引することができる。
第三に、軽くて取り回し易く、一般の人々でも容易に積み上げられる「はにかむツミキ」によって、人々が正六角形断面製材に親しみ、日常的に接することで、自分自身で気軽に「はにかむツミキ」を積み上げ、「はにかむツミキのカベ」や「はにかむツミキのイエ」もしくはそれらの応用品を生み出す事が出来る。
第四に、正六角形断面製材や「はにかむツミキ」が一般に広く認知される事で、その流通と消費をいっそう促進することができる。
【図面の簡単な説明】
【００１２】
【図１】本考案の一実施例を示す断面正六角形単位体断面図。
【図２】同じく断面正六角形単位体の斜視図。
【図３】同じく断面正六角形単位体で構成した壁の斜視図。
【図４】同じく断面正六角形単位体で構成した壁をコの字状に連結した斜視図。
【図５】「はにかむツミキ」の、基本ユニット３種と約物ユニット２種の斜面図。
【図６】「はにかむツミキ」各ユニット同士の接合状態を示す模式図。
【図７】「はにかむツミキ」を積み上げて構成した「はにかむツミキのカベ」の模式図。
【図８】同じく「はにかむツミキのカベ」の他の模式図。
【図９】同じく「はにかむツミキのカベ」の他の模式図。
【図１０】同じく「はにかむツミキのカベ」の他の模式図。
【考案を実施するための形態】
【００１３】  本考案の実施の形態を要約すると、先ず、できるだけ丸い木から切り取る面積を増やすという観点で、表面の円に対し、六角形製材を切り取ることを基本とする。又、断面正六角形単位体は、移動することを考慮して、できる限り短くすることが望まれる。
この形態を満足するための一実施例構成を次に説明する。
【実施例】
【００１４】  以下、図に従って、本考案の一実施例を説明する。
図１は、本考案の一実施例を示す断面図であり、１は、小径の原木丸太から正六角形断面に切り取られた断面正六角形単位体で、２は、この単位体１の稜線３に形成した溝である。この単位体１の寸法は図１に示すように並行する面間が１８０ミリメートルであり、他の形状、寸法も図示のとおりである。単位体１の円は原木を示す。
単位体１の縦寸法長さは１８０ミリメートルで溝２の幅は４０ミリメートルである。
前記溝２は、後述する図６に記載された円板状の連結体４を受容し、嵌合するものである。従って、この連結体４の厚さは４０ミリメートルか僅かにこれを超える寸法としている。【００１５】  この六角形の断面積は０．０２８ｍ２で、これは四寸ｘ八寸（１２０ｘ２４０）の梁材と同等である。気乾状態（含水率１５％程度）における杉の比重は０．３９なので、正六角形断面製材の単位長さあたりの重量は、１０．９２ｋｇ／ｍになる。つまり、２ｍ程度の長さまでなら一人で、最も大きな４ｍ材でも二人で、容易に取り回すことが出来る。【００１６】  前記断面正六角形単位体は、一般に取り回しやすい寸法に細切れして得るものであるが、標準的なユニットの厚みとして、ここでは１８０ミリメートルを提案しているが、ニーズに合わせて厚さを変更し、多くのラインナップ用意することも考えられる。【００１７】  図３は、図２に示す複数の単位体１と、この単位体１を対角線上に切断した断面台形状の第２単位体５と、単位体１の対面の中央を通る線で切断した断面５角形の第３単位体６とを連結体４で連結して構成した所望面積の壁７である。
この壁７の周辺は図示のように第２単位体５、第３単位体６が位置しており、単位体１と共に直線部を形成している。【００１８】  この壁７と長尺の単位体１を結合して構成した壁８を、図４のようにコの字状に組み合わせれば、家としての機能を持つことになる。
角部の結合も前記と同様に溝２と連結体４を利用すれば簡単に組み立てることができる。【００１９】  前記の説明したのは、一個の単位体１を組み合わせて壁を構成するものであるが、面積が広くなった場合、その作業時間は多大になってしまう。
この場合、複数のユニットを予め用意しておけば、組み立ての時間を大幅に短縮することができる。
図５にユニットの構成方法を示している。
ユニットＡは単位体１、ユニットαは第２単位体、ユニットβは第３単位体である。
ここで特徴的なのは、ユニットＡを二個結合したユニットＢ、ユニットＡを三個結合したユニットＣを構成することである。【００２０】  これらの、特にユニットＢ、Ｃを使用することにより図６に示すような組み合わせを短時間で得ることができ、壁などを構成する時間を大幅に短縮することができる。
このときも、ユニットの形状に拘わらず、円板状の連結体４を他の単位体やユニットの結合として使用するものである。図１、図２の寸法の単位体１を基本としたものを連結する連結体４は直径が８０ミリメートルで厚さは前述のとおり４０ミリメートルである。
尚、連結体４で嵌合連結することを基本とするが、嵌合力が不十分の場合は当然のことではあるが、接着剤を併用することを排除するものではない。【００２１】  図７は、前記単位体やユニットを組み合わせて構成する壁の例で、上に現れる面が水平である例を示している。
図８は、上に現れる面が斜面である例を示している。【００２２】  図９は、ユニットＣを主として使用した例、図１０は単位体１に相当する部分を抜いた例を示している。【００２３】  このように本考案によれば、単位体やこれを組み合わせたユニットの組み合わせにより種々の形態の壁を得ることができたものであり、広範囲の用途に適用できる建設資材を得ることができたものである。
尚、この建築資材は、建築資材に留まるものではなく、例えば法面の崩落防止、ガーデング、その他の土木工事などにも使用できるもので、これらも本考案の権利範囲に包含されることは当然である。
【符号の説明】
【００２４】  １  断面正六角形単位体、２  溝、３  稜線、４  連結体、５  第二単位体、
６  第三単位体、７、８  壁、１１  ユニットＢ、１２  ユニットＣ
【図１】
0003175606.tif 000003
【図２】
0003175606.tif 000004
【図３】
0003175606.tif 000005
【図４】
0003175606.tif 000006
【図５】
0003175606.tif 000007
【図６】
0003175606.tif 000008
【図７】
0003175606.tif 000009
【図８】
0003175606.tif 000010
【図９】
0003175606.tif 000011
【図１０】
0003175606.tif 000012